(57)【要約】【課題】処理対象物の読取り及びその後の印字を、作業者の作業手順に対応した短い動線で効率的に行うこと。【解決手段】処理対象物Ｐが載置される原稿載置面１を有する筐体部２と、筐体部２の原稿載置面１の上方に位置して該原稿載置面１に載置された処理対象物Ｐ上の情報を間接的に読み取る画像入力部３と、筐体部２内に設けられて画像入力部３での読取情報に基づき処理対象物Ｐへの印字を行う印字部４とを具備し、印字部４は、処理対象物Ｐに対して印字処理を行う印字機構５と、処理対象物Ｐを取り込み印字機構５に案内する吸入口６とを有し、吸入口６は、筐体部２の原稿載置面１に隣接して配置される。【選択図】図１
2018148534.tif 000002
【特許請求の範囲】
【請求項１】
処理対象物が載置される原稿載置面を有する筐体部と、
前記筐体部の原稿載置面の上方に位置して該原稿載置面に載置された処理対象物上の情報を間接的に読み取る画像入力部と、
前記筐体部に設けられて前記画像入力部での処理対象物情報に基づき処理対象物への印字を行う印字部と、を具備し、
前記印字部は、前記処理対象物に対して印字処理を行う印字機構と、前記処理対象物を取り込み前記印字機構に案内する吸入口とを有し、
前記吸入口は、前記筐体部の原稿載置面の近傍に配置されることを特徴とする画像入力装置。
【請求項２】
前記画像入力部は前記原稿載置面上の処理対象物を撮像するスタンド式イメージスキャナにより構成されることを特徴とする請求項１に記載の画像入力装置。
【請求項３】
前記吸入口は、前記筐体部の原稿載置面の手前側である前端部、又は奥側である後端部に隣接するように配置されていることを特徴とする請求項１又は２のいずれか１項に記載の画像入力装置。
【請求項４】
前記吸入口は、前記筐体部の原稿載置面の側部に隣接するように配置されていることを特徴とする請求項１又は２のいずれか１項に記載の画像入力装置。
【請求項５】
前記吸入口には、前記装置本体が設置される机の天板を迂回して前記印字機構に用紙を搬送する用紙搬送機構が備えられていることを特徴とする請求項１〜４のいずれか１項に記載の画像入力装置。
【請求項６】
前記原稿載置面は一端部に設けられた水平方向の回転軸を中心として下方に回動自在に設けられ、
前記吸入口は前記一端部の反対側に位置する他端部に設置され、前記原稿載置面が下方に回動した場合に開口することを特徴とする請求項１〜５のいずれか１項に記載の画像入力装置。
【請求項７】
前記印字部への吸入口付近には、前記原稿載置面内に出入自在に設けられて、出の状態にある場合に前記原稿載置面上の処理対象物を前記吸入口に送り込む吸入機構を設けたことを特徴とする請求項１〜６のいずれか１項に記載の画像入力装置。
【請求項８】
前記原稿載置面の近傍には、該原稿載置面上の処理対象物を前記吸入口に案内する光点滅部が設けられていることを特徴とする請求項１〜７のいずれか１項に記載の画像入力装置。
【請求項９】
前記画像入力部には、前記原稿載置部上の処理対象物の読取情報に基づき、前記原稿載置部からの処理対象物はみ出しを検知するはみ出し検知部と、該はみ出し検知部での検知結果に基づき警告を出力するはみ出し警告手段とを、さらに具備することを特徴とする請求項１〜８のいずれか１項に記載の画像入力装置。
【請求項１０】
前記吸入口に設けられて前記印字機構に対して処理対象物が挿入されたことを検知する吸入検知部と、
前記原稿載置部でかつ前記吸入検知部の至近距離に設けられて該原稿載置部上から処理対象物が除去されたことを検知する除去検知部と、
これら検知部からの検知信号に基づき、前記原稿載置部上での処理対象物読取りの後、前記吸入口への処理対象物吸入が行われずに該処理対象物が取り除かれた場合に警告を出力する印刷警告手段とを、さらに具備することを特徴とする請求項１〜９のいずれか１項に記載の画像入力装置。
【発明の詳細な説明】
【技術分野】
【０００１】
本発明は、銀行等の金融機関で使用可能な画像入力装置に関する。
【背景技術】
【０００２】
銀行等の金融機関で取り扱われる払い込み帳票では、読み込みを行った後に該当帳票の下部に対して消込みの印字が行われることがある。
【０００３】
このような原稿の読取り及び印字に関連して、特許文献１及び２に示される技術が知られている。
特許文献１に示される画像形成装置は、原稿に形成された画像を読み取る原稿読取部と、この原稿読取部の下方に設けられた画像形成部と、前記原稿読取部の前方位置から前方に向かって突設された部分に設けられた操作部と、画像形成部により画像形成処理が施されることによって印刷された用紙が排紙される排紙部と、を備えた構成を有している。
【０００４】
特許文献２に示される印刷複合機は、原稿の読み取りとコピー用紙への印刷を行う機能を有し、原稿の読み取りのための駆動系の一部と、コピー用紙への印刷するための駆動系との一部とが筐体の内部空間に設置されている。
【先行技術文献】
【特許文献】
【０００５】
【特許文献１】特開２０１６−１９１９２９号公報
【特許文献２】特開２０１５−９５６９４号公報
【発明の概要】
【発明が解決しようとする課題】
【０００６】
しかしながら、特許文献１に示される画像形成装置では、一般のコピー装置と同様に原稿読取部の走査ガラスに原稿の情報面を押し当てることで、原稿の読み取りを行う必要があり、原稿の反転作業などの煩雑な作業が必要となる。
また、特許文献２に示される印刷複合機では、原稿の読み取りと印刷とをいずれも筐体の内部空間で行うことから、作業者が直感的に作業内容を理解することが困難である。
【０００７】
この発明は、上述した事情に鑑みてなされたものであって、原稿の読取り及びその後の印字を、作業手順に対応した短い動線で効率的に行うことができる画像入力装置を提供するものである。
【課題を解決するための手段】
【０００８】
上記課題を解決するために、この発明は以下の手段を提案している。
本発明は、処理対象物が載置される原稿載置面を有する筐体部と、前記筐体部の原稿載置面の上方に位置して該原稿載置面に載置された処理対象物上の情報を間接的に読み取る画像入力部と、前記筐体部に設けられて前記画像入力部での読取情報に基づき処理対象物への印字を行う印字部と、を具備し、前記印字部は、前記処理対象物に対して印字処理を行う印字機構と、前記処理対象物を取り込み前記印字機構に案内する吸入口とを有し、前記吸入口は、前記筐体部の原稿載置面に隣接するように配置されることを特徴とする。
【発明の効果】
【０００９】
本発明の画像入力装置では、処理対象物の読取り及びその後の印字を、作業者の作業手順に対応した短い動線で効率的かつ確実に行うことができる。
【図面の簡単な説明】
【００１０】
【図１】本発明に係る画像入力装置の概略構成図である。
【図２】本発明の第１実施形態に係る画像入力装置の概略構成図である。
【図３】図２の他の態様を示す図である。
【図４】本発明の第２実施形態に係る画像入力装置の概略構成図である。
【図５】図４の断面図である。
【図６】本発明の第３実施形態に係る画像入力装置の概略構成図である。
【図７】図６に示す画像入力装置の動作図である。
【図８】図６及び図７に示す画像入力装置の動作図である。
【図９】本発明の第４実施形態に係る画像入力装置の概略構成図である。
【図１０】本発明の第５実施形態に係る画像入力装置の概略構成図である。
【図１１】本発明の第６実施形態に係る画像入力装置の概略構成図である。
【図１２】本発明の第６実施形態において、（Ａ）原稿が正常に配置された状態を示す図、（Ｂ）は原稿がはみ出し状態になった図である。
【図１３】本発明の第７実施形態に係る画像入力装置の概略構成図である。
【図１４】本発明の第７実施形態に係る吸入検知部を示す図である。
【図１５】本発明の第７実施形態に係る除去検知部を示す図である。
【発明を実施するための形態】
【００１１】
本発明の最小構成について、図１を参照して説明する。
本発明の最小構成に係る画像入力装置１００は、原稿Ｐが載置される原稿載置面１を有する筐体部２と、筐体部２の原稿載置面１の上方に位置して該原稿載置面１に載置された、本装置の処理対象物としての原稿Ｐ上の情報を間接的に読み取る画像入力部３と、筐体部２に設けられて画像入力部３での読取情報に基づき原稿Ｐへの印字を行う印字部４と、を主な構成要素とする。
なお、画像入力部３としては、原稿載置面１上の原稿Ｐを撮像するイメージスキャナが使用される。
【００１２】
印字部４は、原稿Ｐに対して印字処理を行う印字機構５と、原稿Ｐを取り込み印字機構５に案内する吸入口６とを有している。
また、印字部４の吸入口６は、筐体部２の原稿載置面１の近傍、具体的には、原稿載置面１に隣接する位置、例えば作業者の反対側となる原稿載置面１の奥側（矢印（イ）方向側）に配置されている。
【００１３】
以上詳細に説明したように図１の画像入力装置１００によれば、筐体部２の原稿載置面１の上方に位置する画像入力部３にて、原稿載置面１に載置された原稿Ｐ上の情報を間接的に読み取ることができ、これにより原稿読取時の作業性を向上させることができる。
その後、印字部４では、画像入力部３での読取情報に基づき必要に応じて原稿Ｐへの印字を行うことができる。
【００１４】
ここで、原稿Ｐを取り込み印字する印字部４の吸入口６は、筐体部２の原稿載置面１に隣接するように配置されているので、原稿読取からその後の印字が必要な吸入口６への原稿移動距離を短くすることができ、これにより印字作業の効率をアップさせることができる。
すなわち、本発明の画像入力装置１００では、原稿Ｐの読取り及びその後の印字を作業者の作業手順に逆らわない短い動線で効率的に行うことが可能となる。
また、印字部４の吸入口６が筐体部２の原稿載置面１に隣接する構成であるので、印字吸入作業を忘れる恐れも減少するという効果が得られる。
【００１５】
（第１実施形態）
本発明の第１実施形態について図２及び図３を参照して説明する。
第１実施形態の画像入力装置１０１は、図２に示すように、原稿Ｐが載置される水平な原稿載置面１１を有する筐体部１２と、筐体部１２の上方に位置して原稿載置面１１に載置された原稿Ｐ上の情報を間接的に読み取る画像入力部１３と、筐体部１２内に設けられて画像入力部１３での読取情報に基づき原稿Ｐへの印字を行う印字部１４と、を主な構成要素とする。
【００１６】
なお、画像入力部１３は、筐体部１２の原稿載置面１１の上方に位置しており、例えば原稿載置面１１上の原稿Ｐを撮像するスタンド式イメージスキャナが使用される。
具体的には、画像入力部１３は、原稿載置面１１に対して一定の距離をおき間接的に画像を入力ができるもので、原稿載置面１１からの原稿Ｐに応じた反射光を結像させるレンズと、結像面にはＣＣＤやＣＭＯＳ等の光電変換素子であるイメージセンサとを有している。イメージセンサで検出された画像データは、信号処理部に送られてデジタル処理がなされ、デジタルデータとして出力される。
【００１７】
印字部１４は、原稿載置面１１の下部位置に配置されるものであって、原稿Ｐに対して印字処理を行う印字機構１５と、原稿Ｐを外部から取り込む吸入口１６とを有している。
この吸入口１６は、原稿載置面１１と略同一な幅を有しかつ平面の手前側（矢印（ロ）方向側）の端部に設けられており、これにより原稿載置面１１上の原稿Ｐを同方向に滑らせることにより、該吸入口１６に送り込むことができる。
【００１８】
また、この印字部１４内には、吸入口１６から取り込んだ原稿Ｐを印字機構１５に搬送するとともに、印字機構１５で印字した後の原稿Ｐを吸入口１６に戻す用紙搬送機構（図示略）が設けられている。
このとき、印字機構１５で印字した後の原稿Ｐは、吸入口１６に戻すことに限定されず、別途の返却口（図示略）から返却しても良い。
【００１９】
また、印字部１４の吸入口１６は、筐体部１２の原稿載置面１１に隣接する位置、例えば作業者側となる原稿載置面１１の隣接位置でかつ手前側（矢印（ロ）側）に配置されているが（図２参照）、これに限定されず、図３に示すように原稿載置面１１の隣接位置でかつ側部（矢印（ハ）側）に配置しても良い。
【００２０】
そして、上記のような画像入力装置１０１によれば、原稿載置面１１の手前側（矢印（ロ）側）又は横側である側部（矢印（ハ）側）に印字部１４の吸入口１６が設けられているので、画像入力部１３により撮像された原稿載置面１１上の原稿Ｐを滑らせることにより、該吸入口１６に送り込むことができる。
その後、吸入口１６に送り込まれた原稿Ｐは、用紙搬送機構（図示略）によって、印字機構１５へ送られた後で必要な印字がなされる。
【００２１】
その際、原稿Ｐが、例えば金融機関等で用いられる払い込み帳票である場合には、画像入力部１３で撮像された画像データがデジタルデータに変換された後、各種業務アプリにてデータ処理される。
その後、データ処理された帳票には、画像入力がされたことを示す印字と、データ処理の結果を示す必要な確認データ、例えば処理された日付や作業者の氏名や所属を印字し、必要に応じて、消込印字をすることが行われる。
そして、このような処理に際しては、本実施形態の画像入力装置１０１を用いることで、原稿載置面１１に置かれた帳票は画像取得がなされ、その後に原稿載置面１１から別の作業場所に帳票を移動させる必要がなく、作業者の腹側となる手前側（矢印（ロ）側）に位置する印字部１４の吸入口１６にスライド移動させるだけで、印字部１４への吸入を行わせることができる。
このとき、吸入口１６が原稿載置面１１の手前又は横に位置することによって、原稿載置面１１上の帳票に対して余分な用紙搬送を少なくして印字処理を行うことができる。
【００２２】
以上詳細に説明したように第１実施形態の画像入力装置１０１によれば、筐体部１２の原稿載置面１１の上方に位置する画像入力部１３にて、原稿載置面１１に載置された原稿Ｐ上の情報を間接的に読み取ることができ、これにより原稿読取時の作業性を向上させることができる。その後、印字部１４では、画像入力部１３での読取情報に基づき原稿Ｐへの印字を行うことができる。
【００２３】
ここで、原稿Ｐを取り込み印字する印字部１４の吸入口１６は、筐体部１２の原稿載置面１１の手前側（（矢印（ロ）側））又は側部（矢印（ハ）側）に隣接するように配置されているので、原稿読取からその後の印字が必要な吸入口１６への原稿移動距離を短くでき、これにより印字作業の効率をアップさせることができる。
すなわち、本実施形態の画像入力装置１０１では、原稿Ｐの読取り及びその後の印字を、作業者の作業手順に対応した短い動線で効率的に行うことが可能となる。
また、印字部１４の吸入口１６が、筐体部１２の原稿載置面１１の手前側（（矢印（ロ）側））又は側部（矢印（ハ）側）に隣接する構成であるので、印字吸入作業を忘れる恐れが減少するという効果も得られる。
【００２４】
（第２実施形態）
本発明の第２実施形態について図４及び図５を参照して説明する。
第２実施形態に示される画像入力装置１０２は、印字部の内部構成において、第１実施形態に示される画像入力装置１０１と構成を異にする。
すなわち、第２実施形態に示される画像入力装置１０２の印字部２０では、図４及び図５に示されるように、机２１の天板２２を貫通せず、該天板２２を迂回しかつ該天板２２の縁部を跨ぐように用紙搬送機構２４（後述する）が配置されている。
【００２５】
本例では、作業者が画像入力および印字を行う際に使用する机２１に、大理石等の強固な材料の天板２２（すなわち、切断、穴開け等の加工が困難な天板２２）が設置されていることを前提としており、この天板２２を加工することなく、印字部２０の設置を可能としている。
【００２６】
具体的には、本実施形態の印字部２０は、第１実施形態と同様に原稿載置面１１と略同一の平面に位置している吸入口２３と、該吸入口２３で受け入れた原稿Ｐを搬送する用紙搬送機構２４と、原稿Ｐに対して印字処理を行い印字機構２５と、を有する。
吸入口２３は、図５に詳細に示されるように作業者が着席する手前側（矢印（ロ）側）に開口部を有する。
そして、原稿載置面１１に帳票等の原稿Ｐを置いて、画像入力部１３によって画像を入力した後、作業者が原稿Ｐを手前側に滑らせた場合には、該印字部２０の吸入口２３に原稿Ｐが受け入れられる。
【００２７】
用紙搬送機構２４は、天板２２を前側から迂回しかつ該天板２２の縁部を跨ぐように搬送ローラ２４Ａ及び搬送ベルト２４Ｂ等が配置されているものであって、これら搬送ローラ２４Ａ及び搬送ベルト２４Ｂにより、天板２２の下方に位置する印字機構２５に原稿が搬送される。
印字機構２５は、天板２２及び原稿載置面１１の下方に配置されるものであって、原稿Ｐに必要な消込み動作などの印字を行う。
【００２８】
以上詳細に説明したように第２実施形態の画像入力装置１０２によれば、第１実施形態と同様に、筐体部１２の原稿載置面１１の上方に位置する画像入力部１３にて、原稿載置面１１に載置された原稿Ｐ上の情報を間接的に読み取ることができ、これにより原稿読取時の作業性を向上させることができる。
その後、印字部２０では、画像入力部１３での読取情報に基づき原稿Ｐへの印字を行うことができる。
【００２９】
ここで、原稿Ｐを取り込み印字する印字部２０の吸入口２３は、筐体部１２の原稿載置面１１に隣接し、かつ作業者が着席する手前側（矢印（ロ）側）に位置しているので、原稿読取からその後の印字が必要な吸入口２３への原稿移動距離を短くでき、これにより印字作業の効率をアップさせることができる。
すなわち、本実施形態の画像入力装置１０２では、原稿Ｐの読取り及びその後の印字を、作業者の作業手順に対応した短い動線で効率的に行うことが可能となる。
また、印字部２０の用紙搬送機構２４は、図４及び図５に示されるように、机２１の天板２２を貫通せず、該天板２２を迂回しかつ該天板２２の縁部を跨ぐように配置されているので、印字部２０の設置に際して天板２２を切断する等の加工が必要なく、その取付時の作業性を向上させることができる。
【００３０】
（第３実施形態）
本発明の第３実施形態について図６〜図８を参照して説明する。
第３実施形態に示される画像入力装置１０３は、原稿載置部の構成において、第１実施形態に示される画像入力装置１０１と構成を異にする。
すなわち、第３実施形態に示される画像入力装置１０３の原稿載置面３０は、手前側（矢印（ロ）側）に設けられた水平な回転軸３１を中心として回動自在とされ、筐体部１２内に設置された可動機構３２により、後端部側が上下方向である矢印ａ−ｂ方向に移動する。
【００３１】
ここで、原稿載置面３０は、初期位置となる水平位置で、上方に位置する画像入力部１３にて原稿載置面３０に載置された原稿Ｐを間接的に読み取る。
その後、可動機構３２の駆動により、回転軸３１を中心として原稿載置面３０の後端部側を下方（矢印ａ方向）に回転させ、これにより該原稿載置面３０の後端部側に吸入口３３となる開口部を形成する。
なお、この吸入口３３は、下方に回動した原稿載置面３０の後端部と、筐体部１２の上面との間に形成される。その後、作業者は、原稿載置面３０上の原稿Ｐを奥側（矢印（イ）方向側）に滑らせることにより、該吸入口３３に送り込む。
【００３２】
動作としては、原稿載置面３０が水平な状態にて、作業者は原稿Ｐを原稿載置面３０に載せた後、画像入力部１３に、原稿Ｐ上の画像を読み取らせ、画像データの文字認識処理を行なわせる。その結果、印字による消込が必要と判断された場合には、原稿載置面３０の奥側（矢印（イ）方向側）を下方に傾斜させる動作を行わせる。
傾斜し下がった原稿載置面３０と水平な筐体部１２の上面との間隙には、印字部１４への吸入口３３が形成されることから、作業者はその吸入口３３に原稿Ｐを滑り込ませることで、印字部１４の印字機構１５へ該原稿Ｐを送り込む。
印字が終了した原稿Ｐについては、さらに奥側に設けられた帳票の排出口か、又は同じ吸入口３３から排出される。
【００３３】
なお、本実施形態では、前端部に設けられた水平な回転軸３１を中心として原稿載置面３０を回動自在として、該原稿載置面３０の後端部側を吸入口３３として開口させるようにした。しかし、これに限定されず、後端部に設けられた水平な回転軸を中心として原稿載置面３０を回動自在として、該原稿載置面３０の手前の前端部側を吸入口３３として開口させるようにしても良い。
【００３４】
以上詳細に説明したように第３実施形態の画像入力装置１０３によれば、原稿Ｐを取り込み印字する印字部２０の吸入口３３は、筐体部１２の原稿載置面３０に隣接しているので、原稿読取からその後の印字が必要な吸入口３３への原稿移動距離を短くでき、これにより印字作業の効率をアップさせることができる。
すなわち、本実施形態の画像入力装置１０３では、原稿Ｐの読取り及びその後の印字を、作業者の作業手順に対応した短い動線で効率的に行うことが可能となる。
また、第３実施形態の画像入力装置１０３では、画像入力部１３による画像入力後、印字による消込が必要となる場合に、原稿Ｐを載置する原稿載置面３０の後部が下がり、印字部１４の吸入口３３が出現することから、作業者はおのずと印字が必要なことに気付き、その後の印字吸入口３３への原稿挿入作業を自然に行うことができる。
これにより、本実施形態の画像入力装置１０３では、画像入力の後に消込が必要な原稿Ｐに対して、印字を行わない操作ミスを未然に防止することができる。
【００３５】
（第４実施形態）
本発明の第４実施形態について図９を参照して説明する。
第４実施形態に示される画像入力装置１０４は、吸入機構４０において、第１実施形態に示される画像入力装置１０１と構成を異にする。
この吸入機構４０は、印字部１４への吸入口１６付近に設置され、かつ原稿載置面１１内に出入自在に設けられるものであって、出の状態にある場合に原稿載置面１１上の原稿Ｐを吸入口１６に強制的に送り込む。
【００３６】
具体的には、この吸入機構４０は、吸入口１６付近の筐体部１２に支持軸４１を中心として矢印ｃ−ｄ方向に回動自在に設けられた可動部４２を有し、この可動部４２の先端に、原稿載置面１１上の原稿Ｐを吸入口１６に送り込むための吸入ローラ４３を有する構成である。
また、この吸入機構４０において、可動部４２を支持する支持軸４１と、吸入ローラ４３の回転軸４３Ａは、いずれも細長の吸入口１６に沿う水平位置に設けられている。
【００３７】
そして、以上のような吸入機構４０では、初期位置にある場合に、図９に鎖線で示すように可動部４２を矢印ｃ方向に直立させて吸入ローラ４３を原稿載置面１１から離間されている。
また、この吸入機構４０では、駆動モータ（図示略）が駆動された場合に、図９に実線で示すように可動部４２を矢印ｄ方向に回転させ、これにより吸入ローラ４３を原稿載置面１１上に原稿Ｐに接触させる。この状態で、ローラモータ（図示略）により吸入ローラ４３を駆動することにより、原稿載置面１１上の原稿Ｐを奥側（矢印（イ）方向側）の矢印ｅ方向に移動して、吸入口１６に送り込むことができる。
【００３８】
具体的な動作としては、画像入力部１３により原稿載置面１１上の原稿Ｐの画像入力を行った後に、画像文字の認識処理に基づき、印字による消込が必要と判断された場合には、支持軸４１を中心として可動部４２を回転させ、ローラ面が原稿載置面１１に接触するように吸入ローラ４３を降下させる。このとき、吸入ローラ４３は、原稿Ｐを吸入口１６に送る方向に回転しており、これにより該原稿Ｐを原稿載置面１１に対して滑らすようにして吸入口１６に搬送する。
【００３９】
以上詳細に説明したように第４実施形態の画像入力装置１０４によれば、原稿Ｐを取り込み印字する印字部１４の吸入口１６が、筐体部１２の原稿載置面１１に隣接しているので、原稿読取からその後の印字が必要な吸入口１６への原稿移動距離を短くすることができ、これにより印字作業の効率をアップさせることができる。
すなわち、本実施形態の画像入力装置１０４では、第１〜第３実施形態と同様に、原稿Ｐの読取り及びその後の印字を、作業者の作業手順に対応した短い動線で効率的に行うことが可能となる。
また、第４実施形態の画像入力装置１０４によれば、画像入力部１３により原稿載置面１１上の原稿Ｐの画像入力を行った後に、印字による消込が必要な原稿Ｐを、吸入機構４０の吸入ローラ４３による案内により印字部１４の吸入口１６も送り込むことができる。これにより、上記画像入力装置１０４では、印字による消込処理をしないといった作業ミスを防止することができる。また、吸入ローラ４３は画像入力の視野範囲外にあるので、画像入力時に写り込む等の悪影響が生じることもない。
【００４０】
（第５実施形態）
本発明の第５実施形態について図１０を参照して説明する。
第５実施形態に示される画像入力装置１０５は、原稿載置面１１の周辺構成において、第１実施形態に示される画像入力装置１０１と構成を異にする。
すなわち、第５実施形態に示される画像入力装置１０５では、原稿載置面１１の近傍には、該原稿載置面１１上の原稿Ｐを吸入口１６に案内するＬＥＤ等からなる光点滅部５０が設けられている。
【００４１】
この光点滅部５０は、原稿載置面１１に隣接した位置にあり、図１０に示されるように、例えば、筐体１２の奥側（矢印（イ）方向側）に印字部１４の吸入口１６がある場合には、原稿載置面１１の周辺部でかつ該周辺部近傍の側部にてＬＥＤ等の複数の光点滅ランプ５１が設置される構成である。
具体的には、この光点滅部５０の光点滅ランプ５１は、原稿載置面１１の左右両側で平行に、原稿Ｐを印字部１４の吸入口１６に移動させる領域に複数個（例えば左右それぞれ３〜５個）設置されている。
【００４２】
そして、以上のような画像入力装置１０５では、原稿画像の画像入力が終了し印字部１４での消込みを待つタイミングにおいて、原稿Ｐの奥の横側から、奥側の印字部１４の吸入口１６へ順次ＬＥＤを点灯消灯することにより、用紙を印字部１４の吸入口１６にずらし滑らせ、印字が必要なことを作業者に警告することができる。
【００４３】
なお、上記画像入力装置１０５では、ＬＥＤ等の光による光点滅部５０は、原稿Ｐを画像入力載置面１１から印字部１４の吸入口１６に至る部分に限らず、例えば印字部１４の吸入口１６のカバー上部に光点滅ランプ５２を取り付けておき、作業者から吸入口１６を見落とさないように点滅させることも可能である。
さらに、上記画像入力装置１０５では、作業者からに対して原稿載置面１１の手前に印字部１４の吸入口１６がある場合においても同様に原稿載置面１１に隣接した位置に光点滅部５０を設けていることも可能である。
【００４４】
以上詳細に説明したように第５実施形態の画像入力装置１０５によれば、原稿Ｐを取り込み印字する印字部１４の吸入口１６が、筐体部１２の原稿載置面１１に隣接しているので、原稿読取からその後の印字が必要な吸入口１６への原稿移動距離を短くでき、これにより印字作業の効率をアップさせることができる。
すなわち、本実施形態の画像入力装置１０５では、第１〜第４実施形態と同様に、原稿Ｐの読取り及びその後の印字を、作業者の作業手順に対応した短い動線で効率的に行うことが可能となる。
【００４５】
さらに、本実施形態の画像入力装置１０５では、光の点滅により印字部１４の吸入口１６に原稿Ｐを案内することができるので、画像の入力作業に連続した印字作業が必要な場合において、誤って印字を忘れることを未然に防止できる効果が得られる。
また、原稿Ｐの手前側に吸入口１６がある場合においても、光の点滅により、印字部１４の吸入口１６に印字すべき原稿Ｐを案内することで、印字忘れや、印字の誤りを未然に防止できる効果が得られる。
【００４６】
（第６実施形態）
本発明の第６実施形態について図１１〜図１２を参照して説明する。
第６実施形態に示される画像入力装置１０６は、原稿載置面１１における原稿はみ出しに関する構成において、第１実施形態に示される画像入力装置１０１と構成を異にする。
すなわち、第６実施形態に示される画像入力装置１０６では、原稿載置面１１からの原稿Ｐはみ出しを検知するはみ出し検知部６０と、該はみ出し検知部６０での検知結果に基づき警告を出力するはみ出し警告手段６１とを、さらに具備する。
【００４７】
はみ出し検知部６０は、画像入力部１３で得た原稿Ｐの画像データに基づき、原稿載置面１１上の原稿が、図１２（Ａ）で示す正常な状態から、図１２（Ｂ）で示すはみ出し状態になったか否かを検知する。なお、この原稿Ｐのはみ出しは、原稿載置面１１上の画像読み取り領域から、印字部１４の吸入口１６に至る移動領域内にて、原稿Ｐのはみ出しが生じたか否かを検知する。そして、この検知結果に基づき、警告手段６１では作業者に警告を発する。
【００４８】
より具体的には、画像入力部１３では、間接的に画像入力する原稿載置面１１に隣接した位置から印字部１４に対する吸入口１６に至る領域において、原稿画像よりも若干広い範囲を画像入力部１３の画像データ取得範囲として設定しておく。
その後、はみ出し検知部６０にて、画像入力部１３による原稿載置面１１での原稿読取り時において、原稿画像よりも左右側、もしくは印字部１４の吸入口１６が奥側であれば手前側、吸入口１６が手前側であれば奥側に、原稿Ｐの一部が現れた場合において、これを検知する処理を実施する。
【００４９】
まず、作業者は、原稿Ｐを画像載置面１１に置き、画像入力の操作を行う。入力画像の処理に従って、原稿Ｐに消込のための印字が必要と判断される場合に、作業者は、取得し終えた原稿Ｐを、通常ならばそのまま原稿Ｐの上側を指で滑らすようにして印字部１４の吸入口１６に運び、印字部１４による印字を行う（通常作業）。この場合、はみ出し検知部６０は、異常を検知しないことから、印字部１４では通常の印字処理が行われる。
しかしながら、図１１に符号Ｍで示すように、作業者が誤って、原稿Ｐを原稿載置面１１から左右横向き、又は印字部１４の吸入口１６と逆側に移動させようとすると、はみ出し検知部６０が異常を検知するとともに、その異常検知に基づき、警告手段６１が作業者に対して警告を発する。
【００５０】
以上詳細に説明したように第６実施形態の画像入力装置１０６によれば、原稿Ｐを取り込み印字する印字部１４の吸入口１６が、筐体部１２の原稿載置面１１に隣接しているので、原稿読取からその後の印字が必要な吸入口１６への原稿移動距離を短くすることができ、これにより印字作業の効率をアップさせることができる。
すなわち、本実施形態の画像入力装置１０６では、第１〜第５実施形態と同様に、原稿Ｐの読取り及びその後の印字を、作業者の作業手順に対応した短い動線で効率的に行うことが可能となる。
【００５１】
さらに、本実施形態の画像入力装置１０５では、原稿載置面１１での原稿Ｐの画像読み取り後に、印字部１４の吸入口１６に移動させる際に、原稿Ｐが所望の経路から外れたとしても、はみ出し検知部６０の異常検出と、警告手段６１の異常報知により、その異常状況を速やかに作業者に知らせることが可能となる。
【００５２】
（第７実施形態）
本発明の第７実施形態について図１３〜図１５を参照して説明する。
第７実施形態に示される画像入力装置１０７は、原稿載置面１１上の原稿Ｐが、印字部１４の吸入口１６に確実に案内されたか否かを判別する構成を設けた点において、第１実施形態に示される画像入力装置１０１と構成を異にする。
【００５３】
すなわち、第７実施形態に示される画像入力装置１０７では、図１３に示すように、印字部１４に対して原稿Ｐが挿入されたことを検知する吸入検知部７０と、原稿載置面１１上から原稿Ｐが除去されたことを検知する除去検知部７１と、原稿載置面１１上での原稿読取りの後、印字部１４での必要な印字がなされずに除かれた場合に警告を出力する印刷警告手段７２とを、さらに具備する。
【００５４】
吸入検知部７０は、図１３及び図１４に示されるように、印字部１４の吸入口１６に設けられて印字機構１５に対して原稿Ｐが挿入されたことを検知するものであって、発光素子７０Ａと受光素子７０Ｂとから構成される。
除去検知部７１は、図１３及び図１５に示されるように、原稿載置面１１上から原稿Ｐが除去されたことを検知する発光素子７１Ａと受光素子７１Ｂとを有するものであって、原稿載置面１１内でかつ吸入検知部７０の至近距離（符号Ｌで示す距離）に設置されている。
印刷警告手段７２は、これら検知部７０，７１からの検知信号に基づき、原稿載置面１１上での原稿読取りの後、印刷が必要とされる原稿Ｐの吸入口１６への吸入が行われずに該原稿Ｐが取り除かれた場合に警告を出力する。
なお、上述した吸入検知部７０と除去検知部７１とが至近距離にあるとは、原稿Ｐの大きさ比べて同程度か、又は短い距離にあることを意味している。
【００５５】
そして、画像入力装置１０７の具体的な動作としては、画像入力部１３による原稿載置面１１上での原稿読取り結果に基づき、印字が必要かどうかを判断する。
ここで、仮に、原稿Ｐが画像入力の後に印字が必要な場合においては、原稿Ｐが画像入力されたのち印字部１４に挿入されるまでの間に、原稿載置面１１の除去検知部７１からの検知信号と、印字部１４の吸入口１６にある吸入検知部７０からの検知信号とを監視しておく。その後、これら検知信号に基づき、画像入力の後に、印字部１４への原稿Ｐの吸入が検知されずに、原稿Ｐが除去されたことを検知した場合には、警告手段７２より警告を出す。なお、上記各種判断は図示しないコントロールユニットにて行うものである。
【００５６】
以上詳細に説明したように第７実施形態の画像入力装置１０７によれば、原稿Ｐを取り込み印字する印字部１４の吸入口１６が、筐体部１２の原稿載置面１１に隣接しているので、原稿読取からその後の印字が必要な吸入口１６への原稿移動距離を短くでき、これにより印字作業の効率をアップさせることができる。
すなわち、本実施形態の画像入力装置１０７では、第１〜第６実施形態と同様に、原稿Ｐの読取り及びその後の印字を、作業者の作業手順に対応した短い動線で効率的に行うことが可能となる。
【００５７】
さらに、本実施形態の画像入力装置１０７では、原稿載置面１１への除去検知部７１と印字部１４での吸入口１６に吸入検知部７０とを、一定の距離（図１３に符号Ｌで示す）に設けることによって、原稿画像入力後に印字が必要な原稿Ｐに対して、印字がなされない操作ミスを抑制する効果がある。
【００５８】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００５９】
本発明は、銀行等の金融機関で使用することができる画像入力装置に関する。
【符号の説明】
【００６０】
１  原稿載置面
２  筐体部
３  画像入力部
４  印刷部
５  印字機構
６  吸入口
１１  原稿載置面
１２  筐体部
１３  画像入力部
１４  印刷部
１５  印字機構
１６  吸入口
２０  印字部
２３  吸入口
３０  原稿載置部
４０  吸入機構
５０  光点滅部
６０  はみ出し検知部
７０  吸入検知部
７１  除去検知部
７２  印刷警告手段
１００  画像入力装置
１０１  画像入力装置
１０２  画像入力装置
１０３  画像入力装置
１０４  画像入力装置
１０５  画像入力装置
１０６  画像入力装置
１０７  画像入力装置
Ｐ  原稿（処理対象物）
【図１】
2018148534.tif 000003
【図２】
2018148534.tif 000004
【図３】
2018148534.tif 000005
【図４】
2018148534.tif 000006
【図５】
2018148534.tif 000007
【図６】
2018148534.tif 000008
【図７】
2018148534.tif 000009
【図８】
2018148534.tif 000010
【図９】
2018148534.tif 000011
【図１０】
2018148534.tif 000012
【図１１】
2018148534.tif 000013
【図１２】
2018148534.tif 000014
【図１３】
2018148534.tif 000015
【図１４】
2018148534.tif 000016
【図１５】
2018148534.tif 000017
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
処理対象物が載置される原稿載置面を有する筐体部と、前記筐体部の原稿載置面の上方に位置して該原稿載置面に載置された処理対象物上の情報を間接的に読み取る画像入力部と、
前記筐体部に設けられて前記画像入力部での処理対象物情報に基づき処理対象物への印字を行う印字部と、を具備し、
前記印字部は、前記処理対象物に対して印字処理を行う印字機構と、前記処理対象物を取り込み前記印字機構に案内する吸入口とを有し、
前記吸入口は、前記筐体部の原稿載置面に沿う方向へ開口して配置され、
前記吸入口には、前記筐体部の天板を迂回して前記印字機構に用紙を搬送する用紙搬送機構が備えられ、
該用紙搬送機構は、前記天板の縁に向かって開口する前記吸入口を有し、
該吸入口で受け入れた前記処理対象物を前記天板の縁を経由して天板の上面側から下面側へ搬送して前記印字機構へ搬送することを特徴とする画像入力装置。
【請求項２】
処理対象物が載置される原稿載置面を有する筐体部と、前記筐体部の原稿載置面の上方に位置して該原稿載置面に載置された処理対象物上の情報を間接的に読み取る画像入力部と、
前記筐体部に設けられて前記画像入力部での処理対象物情報に基づき処理対象物への印字を行う印字部と、を具備し、
前記印字部は、前記処理対象物に対して印字処理を行う印字機構と、前記処理対象物を取り込み前記印字機構に案内する吸入口とを有し、
前記吸入口は、前記筐体部の原稿載置面に沿う方向へ開口して配置され、
前記原稿載置面は一端部に設けられた水平方向の回転軸を中心として下方に回動自在に設けられ、
前記吸入口は前記一端部の反対側に位置する他端部に設置され、前記原稿載置面が下方に回動した場合に開口することを特徴とする画像入力装置。
【請求項３】
前記画像入力部は前記原稿載置面上の処理対象物を撮像するスタンド式イメージスキャナにより構成されることを特徴とする請求項１または２のいずれか一項に記載の画像入力装置。
【請求項４】
前記吸入口は、前記筐体部の原稿載置面の手前側である前端部、又は奥側である後端部に隣接するように配置されていることを特徴とする請求項２に記載の画像入力装置。
【請求項５】
前記吸入口は、前記筐体部の原稿載置面の側部に隣接するように配置されていることを特徴とする請求項１に記載の画像入力装置。
【請求項６】
前記印字部への吸入口には、前記原稿載置面内に出入自在に設けられて、出の状態にある場合に前記原稿載置面上の処理対象物を前記吸入口に送り込む吸入機構を設けたことを特徴とする請求項１〜５のいずれか１項に記載の画像入力装置。
【請求項７】
前記原稿載置面には、該原稿載置面上の処理対象物を前記吸入口に案内する光点滅部が設けられていることを特徴とする請求項１〜６のいずれか１項に記載の画像入力装置。
【請求項８】
前記画像入力部には、前記原稿載置面上の処理対象物の読取情報に基づき、前記原稿載置面からの処理対象物はみ出しを検知するはみ出し検知部と、該はみ出し検知部での検知結果に基づき警告を出力するはみ出し警告手段とを、さらに具備することを特徴とする請求項１〜７のいずれか１項に記載の画像入力装置。
【請求項９】
前記吸入口に設けられて前記印字機構に対して処理対象物が挿入されたことを検知する吸入検知部と、
前記吸入検知部に設けられて前記原稿載置面上から処理対象物が除去されたことを検知する除去検知部と、
これら検知部からの検知信号に基づき、前記原稿載置面上での処理対象物読取りの後、前記吸入口への処理対象物吸入が行われずに該処理対象物が取り除かれた場合に警告を出力する印刷警告手段とを、さらに具備することを特徴とする請求項１〜８のいずれか１項に記載の画像入力装置。